(57)【特許請求の範囲】
【請求項１】
黒板、ホワイトボード、電子ボード、スクリーン、掲示板のうちの１又は複数の機能を有するメインボードと、黒板、ホワイトボード、電子ボード、スクリーン、掲示板のうちの１又は複数の機能を有していて前記メインボードの前面に配置されるサブボードとから成り、前記サブボードは、前記メインボードよりも横幅が狭く且つ前記メインボードに対して横方向に移動可能であって、使用時に任意の位置に移動させて使用することが可能であり、
前記メインボードの上枠及び下枠に沿ってガイドレールを取り付け、前記サブボードに、前記上下のガイドレールに係合して転動又は摺動するレール係動手段を備え付け、前記サブボードを、前記レール係動手段を前記ガイドレールに係合させて設置することにより、前記ガイドレールに沿って左右方向に移動可能にし、
前記レール係動手段は、自在支点型の転動ホイールであって、前記転動ホイールは、前記サブボードの横幅方向中央寄りに取り付けられることを特徴とする多機能ボード。
【請求項２】
前記サブボードに、前記サブボードを所望位置にて固定状態にする移動阻止用ストッパーを設けた請求項１に記載の多機能ボード。
【請求項３】
前記メインボードは磁性体製であり、前記サブボードはその裏面にマグネット素材を有していて前記メインボード上の任意の位置に磁着可能である請求項１に記載の多機能ボード。
【請求項４】
前記メインボードは、壁面固定式のものである請求項１に記載の多機能ボード。
【請求項５】
前記メインボードは、移動式のものである請求項１に記載の多機能ボード。
【請求項６】
前記メインボードは、上下動可能である請求項１に記載の多機能ボード。
【請求項７】
前記メインボードは二重であって、上下引き下げ式である請求項６に記載の多機能ボード。
【請求項８】
前記メインボードは二重であって、左右引き分け式である請求項１に記載の多機能ボード。
【請求項９】
前記メインボードは、傾倒可能である請求項１に記載の多機能ボード。
【請求項１０】
前記メインボード及び／又は前記サブボードは、単一のボード面にて黒板、ホワイトボード及びスクリーンの３つの機能を併せ有するものである請求項１に記載の多機能ボード。
【請求項１１】
前記メインボード又は前記サブボードに、プロジェクター取付用アームを設置した請求項１に記載の多機能ボード。
【請求項１２】
前記メインボード又は前記サブボードの枠部分に、専用の電子マーカーペンと組み合わせて用い、前記電子マーカーペンの動きを電子データとしてパソコンに送信するホワイトボードレコーダを組み込んだ請求項１に記載の多機能ボード。
【発明の詳細な説明】
【技術分野】
【０００１】
本発明は多機能ボード、より詳細には、学校等の教育機関や関連施設、あるいは、一般企業等で使用されるものであって、黒板、ホワイトボード、電子ボード、スクリーン、掲示板等の諸機能を併せ有することが可能な多機能ボードに関するものである。
【背景技術】
【０００２】
世界の情報化社会の発展進化に伴い、学校などの教育現場や企業の研修室等での表現形式として用いられてきた、チョーク書き込み式黒板やマーカー書き込み式白板（ホワイトボード）等の旧来の形態から、情報の表現方式に対する時代の要求として電子黒板（電子ボード）による表現方式の要求の高まりが強くなってきている。
【０００３】
この電子ボードは単体で用いられることが多いが、これを黒板やホワイトボードと組み合わせた仕様のものが提案されている。例えば、固定式黒板（又はホワイトボード）とスクリーンを組合わせたものとして、黒板５１を設置した壁面５４の黒板５１の上側に、黒板５１の上辺に沿って延びるガイドレール５３を取り付け、このガイドレールに電子ボード５２をスライド可能に設置したものがある（図６参照）。
【０００４】
しかし、このボードの場合、使用される機器及び装置、即ち、ガイドレール５３及びこれに対する電子ボード５２側のスライド手段が重厚長大となって、設置及び操作の点で問題となるだけでなく、曲面の黒板の場合には両端部においてスライドできなくなるので、曲面黒板には対応できないという制約を伴う。
【０００５】
また、上記従来の複合ボードの場合は、電子ボードの機能を発揮させるために一体として必需品となるプロジェクターの設置については全く配慮されておらず、別途プロジェクターを設置するためのスペースや設置台等を用意する必要があり、それは、使用者にとって煩わしく負担となることである。
【０００６】
【特許文献１】特許第３９５０８３７号公報
【特許文献２】特開２００２−１１９９７号公報
【特許文献３】特開平１１−１２８０３４号公報
【発明の開示】
【発明が解決しようとする課題】
【０００７】
本発明は、上記従来の単機能ボードあるいは複合ボードにおける問題点を解決するためになされたもので、比較的容易に設置することができ、複数のボード面を筆記用、感圧式電子ボード又はスクリーン等として使い分けて使用することができ、別途プロジェクター設置スペース等を考えることなく手軽にプロジェクターを利用することができる多機能ボードを提供することを課題とする。
【課題を解決するための手段】
【０００８】
上記課題を解決するための請求項１に記載の発明は、黒板、ホワイトボード、電子ボード、スクリーン、掲示板のうちの１又は複数の機能を有するメインボードと、黒板、ホワイトボード、電子ボード、スクリーン、掲示板のうちの１又は複数の機能を有していて前記メインボードの前面に配置されるサブボードとから成り、前記サブボードは、前記メインボードよりも横幅が狭く且つ前記メインボードに対して横方向に移動可能であって、使用時に任意の位置に移動させて使用することが可能であり、前記メインボードの上枠及び下枠に沿ってガイドレールを取り付け、前記サブボードに、前記上下のガイドレールに係合して転動又は摺動するレール係動手段を備え付け、前記サブボードを、前記レール係動手段を前記ガイドレールに係合させて設置することにより、前記ガイドレールに沿って左右方向に移動可能にし、前記レール係動手段は、自在支点型の転動ホイールであって、前記転動ホイールは、前記サブボードの横幅方向中央寄りに取り付けられることを特徴とする多機能ボードである。
【０００９】
一実施形態においては、前記サブボードに、前記サブボードを所望位置にて固定状態にする移動阻止用ストッパーが設けられる。
【００１０】
一実施形態においては、前記メインボードは磁性体製であり、前記サブボードはその裏面にマグネット素材を有していて前記メインボード上の任意の位置に磁着可能にされる。
【００１１】
一実施形態においては、前記メインボードは、壁面固定式のものとされ、あるいは、移動式のものとされる。
【００１２】
また、前記メインボードは、上下動可能にされ、その場合、前記メインボードは二重であって、上下引き下げ式とされることがある。また、前記メインボードは二重であって、左右引き分け式とされることがある。更に、前記メインボードは、傾倒可能にされることがある。
【００１３】
また、前記ボード本体及び／又はサブボードは、単一のボード面にて黒板、ホワイトボード及びスクリーンの３つの機能を併せ有するものとすることができる。
【００１４】
好ましい実施形態においては、前記メインボード又は前記サブボードの上部又は側部に、プロジェクター取付用アームが設置され、あるいは、前記メインボード又は前記サブボードの枠部分に、専用の電子マーカーペンと組み合わせて用い、前記電子マーカーペンの動きを電子データとしてパソコンに送信するホワイトボードレコーダが組み込まれる。
【発明の効果】
【００１５】
本発明は上記のとおりであって、比較的容易に設置することができ、複数のボード面を筆記用、感圧式電子ボード又はスクリーン等として使い分けて使用することができ、また、別途プロジェクター設置スペース等を考えることなく手軽にプロジェクターを利用することができる効果がある。
【００１６】
特に、請求項３及び４に係る発明においては、メインボードが曲面ないし半曲面の場合にも対応することができ、請求項５に係る発明においては、サブボードの不用意な動きを抑止できる効果がある。
【００１７】
また、特に、請求項１３に係る発明においては、より多機能化の要請に応えることができ、請求項１５に係る発明においては、電子ボードの機能を持たせ得る効果がある。
【発明を実施するための最良の形態】
【００１８】
本発明を実施するための最良の形態について、添付図面を参照しつつ説明する。図１は本発明に係る多機能ボードの一実施形態の正面図であり、それは、メインボード１と、その前面に配置されて、メインボード１上の任意の位置に移動させることができるサブボード７とから成る。
【００１９】
メインボード１のボード面１ａは、多くの場合黒板又はホワイトボードであるが、スクリーン、感圧式電子ボード、あるいは、掲示板等とすることもできる。また、単一のボード面にて上記機能のうちの複数を有するものとすることもできる。即ち、そのボード面として、研ぎ出し加工、焼き付け加工等により筆記面を形成するに当たり、その筆記面を薄有色にすると共に、表面粗さをチョーク及びマーカーの使用及びその払拭に適した範囲、即ち、ＪＩＳ  Ｂ  ０６０１表面粗さの規格における最大高さＲｙの範囲を、基準長さ２．５ｍｍにおいて４．９乃至１０．５μｍに設定したものを用いることができる。その色としては、薄いグレー、グリーン、ブルー、ベージュ又はピンクが考えられる。
【００２０】
この多機能なボード面は、本願出願人が開発したものであって、筆記面がスクリーンとしての使用に適する薄有色であって、表面粗さがチョーク及びマーカーの使用及びその払拭に適した範囲であるため、一つの筆記面にてチョークボード、マーカーボード、更にはスクリーンとしての利用が可能となるものである。
【００２１】
メインボード１の前側に配置されるサブボード７のボード面７ａの種類も上記メインボード１のボード面１ａの場合と同様であり、両ボード面１ａ、７ａの種類の組合わせを種々選択することができる。メインボード１とサブボード７は、通例異種のものとされるが、同種のものであってもよい。好ましい、ないし、一般的な組合せとしては、メインボード１を黒板又はホワイトボードとし、サブボード７を電子ボード又はスクリーンとすることが考えられる。
【００２２】
本発明においては、サブボード７がメインボード１上の任意の位置に移動可能な構成とされる。そのための構成としては、メインボード１の上枠及び下枠に沿ってガイドレール４、５を備え付け、また、サブボード７に上下のガイドレール４、５に係合して転動又は摺動するレール係動手段を取り付け、該レール係動手段をガイドレール４、５に係合させることによってサブボード７を設置することが考えられる。
【００２３】
ガイドレール４、５とこれに対する転動手段又は摺動手段であるレール係動手段の組合わせは種々考えられるが、好ましい、ないし、一般的な組合わせとしては、断面角Ｃ字型のガイドレール４、５に、転動ホイール８を係合させることが考えられる（図２参照）。転動ホイール８は、好ましくは、サブボード７の上枠９及び下枠１０に軸１１を固定し、軸１１の下端に軸１１と共に水平方向に回動自在にしたホイール取付板１２を取り付け、これにホイール１３を設置した、自在支点型のものを用いる。
【００２４】
転動ホイール８は、通例サブボード７の上枠９及び下枠１０にそれぞれ１対又は２対取り付けられるが、その取付位置は、端部ではなく、中央寄りとすることが好ましい（図２（Ａ）、図３等において※印を付した個所がその取付位置を示している。）。これは、上記自在支点型の転動ホイール８を採用することと共に、メインボード１が曲面又は半曲面のボードである場合を考慮したものである。
【００２５】
もし、転動ホイール８として自在支点型のものを用いないとすると、転動ホイール８が、メインボード１の曲面に沿って湾曲するガイドレール４、５に追随して湾曲移動することができないことになり、また、転動ホイール８をサブボード７の両端部に配設したとすると、前方の転動ホイール８は湾曲移動しようとし、後方の転動ホイール８は直線移動しようとするために、サブボード７をスムーズに移動させることが困難となるのである。
【００２６】
また、サブボード７に、ガイドレール４、５の任意の位置に止めてその位置に固定状態にする移動阻止手段を設けることが好ましい。そのためには、例えば、軸１１の上部にストッパー取付板１４を取り付け、これにストッパー１５を設置することとする。ストッパー１５は、下端に緩衝材１６を取り付け、スプリング１７を纏装した抜け止め付きストッパー軸１８を、ストッパー取付板１４に遊挿したものである（図２（Ｂ）参照）。このストッパー１５においては、スプリング１７が常時緩衝材１６を下方に付勢してこれをガイドレール４、５の上面に圧接させるので、その圧接摩擦力によって、サブボード７の横方向への移動が阻止される。サブボード７を移動させる際には、スプリング１７の弾発力に抗してストッパー軸１８を持ち上げて、緩衝材１６をガイドレール４、５の上面から離隔させればよい。
【００２７】
ストッパー１５の構成としては、上記以外にも種々考えられ、例えば、上記ストッパー軸１８をストッパー取付板１４にねじ込むこととし、それを固定時には締め込み、移動時には緩めるという方法も可能である。なお、その場合はスプリング１７は不要となる。
【００２８】
メインボード１は、一般の大型黒板のような壁面固定式のものであってもよいし、その両側に、底面にキャスターを備えたスタンド２０を設置した移動式のものであってもよい（図３参照）。この移動式の場合は、好ましくは、躓き防止のためにスタンド２０は、一般的な逆Ｔ字型のものではなく、少なくともその下部に、その安定した立直姿勢を維持するに足る幅面を有する面状体とする。
【００２９】
メインボード１は、固定式、移動式を問わず、上下動可能及び／又は傾倒可能にすることができる（図５参照）。そのためには、例えば、メインボード１と壁面との間（固定式の場合）、あるいは、メインボード１の裏面とスタンド２０間に渡した昇降装置取付板との間に、昇降装置を配設すればよい。また、固定式の場合には、メインボード１を前後二重にした上げ下げ式のものとすることができ、また、左右引き分け式のものとすることができる。言うまでもなくそれらの場合は、サブボード７は前面側のメインボード１に取り付けられる。
【００３０】
メインボード１及びサブボード７には、プロジェクター等の映写スクリーンの機能を持たせることができるが、好ましい実施形態においては、サブボード７（又はメインボード１）がスクリーン機能を有するものとされると共に、サブボード７（又はメインボード１）の上部（上枠）又は側部（側枠）に、先端にプロジェクター取付板２１を備えたアーム２２が設置される。
【００３１】
アーム２２は、例えば、一又は複数の屈曲部が形成されて折り畳み可能にされ、あるいは、途中に自在継ぎ手を有するものとされ、あるいは、捩り及び湾曲が可能な資材製とされる等により、アーム２２を適宜引き出して、プロジェクター取付板２１に取り付けられるプロジェクター２３の吊り下げ角度及び水平旋回位置を変更することができるようにし、以てプロジェクター２３を、スクリーンとなるサブボード７（又はメインボード１）のボード面に向けられるようにされる。
【００３２】
また、他の実施形態においては、サブボード７（又はメインボード１）の枠部分に、ホワイトボードレコーダ２４が埋設等により設置される。このホワイトボードレコーダ２４は、それ専用の電子マーカーペンと組み合わせて使用するもので、その電子マーカーペンで、ホワイトボード仕様のサブボード７（又はメインボード１）に筆記すると、その筆記文字や絵が、ホワイトボードレコーダ２４を介し、電子データとしてリアルタイムにパソコンに転送・記憶されるものである。
【００３３】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００３４】
【図１】本発明の一実施形態を示す正面図である。
【図２】本発明の一実施形態におけるガイドレールと転動ホイールを示す縦断面図である。
【図３】本発明の他の実施形態を示す正面図である。
【図４】本発明の更に他の実施形態を示す正面図である。
【図５】本発明の更に他の実施形態を示す正面図である。
【図６】従来の多機能ボードの形態例を示す正面図である。
【符号の説明】
【００３５】
１        メインボード
１ａ      ボード面
４、５    ガイドレール
７        サブボード
７ａ      ボード面
８        転動ホイール
９        上枠
１０      下枠
１１      軸
１２      ホイール取付板
１３      ホイール
１４      ストッパー取付板
１５      ストッパー
１６      緩衝材
１７      スプリング
１８      ストッパー軸
２０      スタンド
２１      プロジェクター取付板
２２      アーム
２３      プロジェクター
２４      ホワイトボードレコーダ
【図１】
0005435858.tif 000002
【図２】
0005435858.tif 000003
【図３】
0005435858.tif 000004
【図４】
0005435858.tif 000005
【図５】
0005435858.tif 000006
【図６】
0005435858.tif 000007